(57)【要約】      （修正有）【課題】シートの一部が摩耗・破損した場合でも、部分的な交換を行うことにより、残り部分の繰り返し使用を可能とする防護シート用交換シート及び防護シートと防護シート用交換袋を提供する。【解決手段】交換シート１は、片面を覆う大きさを有して絶縁材料で形成されるシート本体２と、このシート本体２の一方の面に設けられ、面ファスナー１２に結合可能な面ファスナー４，４・・と、シート本体２の他方の面に設けられ、面ファスナー１２と同じ構造の面ファスナー３とを備えた。その結果、交換シート１の一部が摩耗・破損した場合でも、交換シート１と防護シート１０との貼着を解除し、摩耗・破損した交換シート１を新しい交換シート１に交換すれば、防護シート１０を繰り返し使用することが可能であり、コスト削減に貢献する。【選択図】図３
0003198426.tif 000002
【実用新案登録請求の範囲】
【請求項１】
絶縁材料で形成され、少なくとも片面に、被保護材への被覆状態を維持するための防護側仮止め手段を備えた防護シートに対して使用される交換シートであって、
前記片面を覆う大きさを有して絶縁材料で形成されるシート本体と、前記シート本体の一方の面に設けられ、前記防護側仮止め手段に結合可能な結合手段と、前記シート本体の他方の面に設けられ、前記防護側仮止め手段と同じ構造の交換側仮止め手段とを備えたことを特徴とする防護シート用交換シート。
【請求項２】
前記防護側仮止め手段と、前記結合手段と、前記交換側仮止め手段とが、それぞれ面ファスナーによって形成されることを特徴とする請求項１に記載の防護シート用交換シート。
【請求項３】
絶縁材料で形成され、少なくとも片面に、被保護材への被覆状態を維持するための防護側仮止め手段を備えた防護シートであって、
少なくとも前記片面に、請求項１又は２に記載の防護シート用交換シートを貼着したことを特徴とする防護シート。
【請求項４】
絶縁材料で形成され、少なくとも片面に、被保護材への被覆状態を維持するための防護側仮止め手段を備えた防護シートに対して使用される交換袋であって、
前記防護シートを収容可能な大きさを有して絶縁材料で形成される平袋状の袋本体と、前記袋本体の少なくとも一方の面に設けられ、前記防護用仮止め手段と同じ構造の交換側仮止め手段とを備えたことを特徴とする防護シート用交換袋。
【請求項５】
前記防護側仮止め手段と前記交換側仮止め手段とが、それぞれ面ファスナーによって形成されていることを特徴とする請求項４に記載の防護シート用交換袋。
【請求項６】
絶縁材料で形成され、少なくとも片面に、被保護材への被覆状態を維持するための防護側仮止め手段を備えた防護シートであって、
請求項４又は５に記載の防護シート用交換袋内に収容したことを特徴とする防護シート。
【考案の詳細な説明】
【技術分野】
【０００１】
本考案は、防護シートを繰り返し使用可能とする交換シート及び防護シートと交換袋とに関する。
【背景技術】
【０００２】
従来より、電柱の頭部に装着される電柱防護構造体（防護シート）としては、電気絶縁製を有する可撓性シートから成る絶縁シート体を含むものが知られている（特許文献１）。
【先行技術文献】
【特許文献】
【０００３】
【特許文献１】特開２０１３−２２５９８９号公報
【考案の概要】
【考案が解決しようとする課題】
【０００４】
しかしながら、このような防護シートでは、シートの一部が摩耗・破損した際には、他の部分がまだ使用できる状態にあっても部分的に交換することができず、全体を新しい物に交換するためコストがかさんでしまうという問題があった。
【０００５】
そこで、本考案の目的は、上記従来の防護シートの問題点を解消し、シートの一部が摩耗・破損した場合でも、部分的な交換を行うことにより、残り部分の繰り返し使用を可能とする防護シートや交換袋を提供することにある。
【課題を解決するための手段】
【０００６】
本考案のうち、請求項１に記載された考案は、絶縁材料で形成され、少なくとも片面に、被保護材への被覆状態を維持するための防護側仮止め手段を備えた防護シートに対して使用される交換シートであって、
前記片面を覆う大きさを有して絶縁材料で形成されるシート本体と、前記シート本体の一方の面に設けられ、前記防護側仮止め手段に結合可能な結合手段と、前記シート本体の他方の面に設けられ、前記防護側仮止め手段と同じ構造の交換側仮止め手段とを備えたことを特徴とするものである。
【０００７】
請求項２に記載された考案は、請求項１に記載の発明に加え、前記防護側仮止め手段と、前記結合手段と、前記交換側仮止め手段とが、それぞれ面ファスナーによって形成されることを特徴とするものである。
【０００８】
請求項３に記載された考案は、絶縁材料で形成され、少なくとも片面に、被保護材への被覆状態を維持するための防護側仮止め手段を備えた防護シートであって、
少なくとも前記片面に、請求項１又は２に記載の防護シート用交換シートを貼着したことを特徴とするものである。
【０００９】
請求項４に記載された考案は、絶縁材料で形成され、少なくとも片面に、被保護材への被覆状態を維持するための防護側仮止め手段を備えた防護シートに対して使用される交換袋であって、
前記防護シートを収容可能な大きさを有して絶縁材料で形成される平袋状の袋本体と、前記袋本体の少なくとも一方の面に設けられ、前記防護用仮止め手段と同じ構造の交換側仮止め手段とを備えたことを特徴とするものである。
【００１０】
請求項５に記載された考案は、請求項４に記載の発明に加え、前記防護側仮止め手段と前記交換側仮止め手段とが、それぞれ面ファスナーによって形成されていることを特徴とするものである。
【００１１】
請求項６に記載された考案は、絶縁材料で形成され、少なくとも片面に、被保護材への被覆状態を維持するための防護側仮止め手段を備えた防護シートであって、
請求項４又は５に記載の防護シート用交換袋内に収容したことを特徴とするものである。
【考案の効果】
【００１２】
請求項１及び３に記載された考案によれば、交換シートの一部が摩耗・破損した場合でも、交換シートと防護シートとの貼着を解除し、摩耗・破損した交換シートを新しい交換シートに交換すれば、防護シートを繰り返し使用することが可能であり、コスト削減に貢献する。
【００１３】
請求項２に記載された考案によれば、貼着作業が容易であり、繰り返し使用することが可能である。
【００１４】
請求項４及び６に記載された考案によれば、交換袋が摩耗・破損した場合でも、収容した防護シートを取り出し、新しい交換袋に防護シートを収容すれば、防護シートを繰り返し使用することが可能であり、コスト削減に貢献する。
【００１５】
請求項５に記載された考案によれば、貼着作業が容易であり、繰り返し使用することが可能である。
【図面の簡単な説明】
【００１６】
【図１】（ａ）は、防護シートを示し、（ｂ）は（ａ）のＡ−Ａ断面を示す説明図である。
【図２】（ａ）は交換シートを示し、（ｂ）は（ａ）のＢ−Ｂ断面を示す説明図である。
【図３】防護シートに交換シートが貼着された状態を示す説明図である。
【図４】（ａ）は電柱に防護シートを装着する前の状態を示し、（ｂ）は電柱に防護シートを装着した後の状態を示した説明図である。
【図５】（ａ）は図４（ｂ）のＣ−Ｃ断面を示し、（ｂ）は防護シートのみを電柱に装着した状態を示す説明図である。
【図６】別の実施例を示す説明図である。
【考案を実施するための形態】
【００１７】
以下、本考案の交換シートを貼着した防護シートの一実施形態について、図面に基づいて詳細に説明する。
【００１８】
図１は、防護シートを示す説明図である。図２は、交換シートを示す説明図である。図３は、防護シートに交換シートが貼着された状態を示す説明図である。図４は、電柱に保護シートを装着する前後を示した説明図である。図５は、防護シートを被保護材である電柱に装着した状態の断面を示した説明図である。
【００１９】
先ず初めに、図１（ａ）（ｂ）に示すように、防護シート１０は、絶縁材料で形成されるシート本体１１，１４の間にシールド材１３を敷設して一体に形成したものである。そして、シート本体１４側には、面ファスナー１２・・が外周に取り付けられている。この面ファスナー１２が、本考案の防護側仮止め手段である。
【００２０】
次に、図２（ａ）（ｂ）に示すように、交換シート１は、防護シート１０の片面を覆う大きさを有して絶縁材料で形成されたシート本体２において、表面外周には、面ファスナー３が取り付けられており、裏側には、面ファスナー１２の四隅と同じ位置に面ファスナー４，４・・が取り付けられている。この面ファスナー３が、本考案の交換側仮止め手段であり、面ファスナー４が、本考案の結合手段である。
【００２１】
このようにして構成される防護シート１０の電柱５０への装着は、以下のように行われる。
先ず初めに、図３に示すように、防護シート１０のシート本体１４側に交換シート１を重ね合わせ、防護シート１０のシート本体１４側に取り付けられた面ファスナー１２に、交換シート１の面ファスナー４，４・・を貼着する。こうすることで、防護シート１０の片面が交換シート１で覆われた状態となる。
【００２２】
次に、図４（ａ）に示すように、電柱５０に対して紙面奥側に防護シート１０を配置する。そして、図４（ｂ）に示すように、防護シート１０の右端を、矢印の示す方向に折り返して電柱５０に被せた後、左端も折り返して交換シート１側の面ファスナー３，３同士を貼着する。これにより、図５に示すように、防護シート１０を、内側に交換シート１を介在させた状態で電柱５０の頭部に装着した状態となる。
また、上記手順と逆を行うことで、電柱５０に装着された防護シート１０を取り外すことが可能である。
【００２３】
次に、防護シート１０に貼着した交換シート１が、摩耗や破損した場合の新しい交換シート１への交換について説明する。
先ず初めに、交換シート１の面ファスナー４，４・・と防護シート１０の面ファスナー１２との貼着を解除し、防護シート１０から交換シート１を剥がす。
その後、新たな交換シート１を防護シート１０に重ね合わせて、面ファスナー１２に面ファスナー４，４・・を貼着すると、摩耗や破損のない新しい交換シート１が貼着された防護シート１０が構成される。そして、この新しい防護シート１０を上記と同様の手順で電柱５０に装着すれば、新しい防護シート１０によって、既設の電柱や電線に接触した際の帯電や損傷を防止することが可能となる。
【００２４】
上記の如く構成される交換シート１は、片面を覆う大きさを有して絶縁材料で形成されるシート本体２と、このシート本体２の一方の面に設けられ、面ファスナー１２に結合可能な面ファスナー４，４・・と、シート本体２の他方の面に設けられ、面ファスナー１２と同じ構造の面ファスナー３とを備えた。その結果、交換シート１の一部が摩耗・破損した場合でも、交換シート１と防護シート１０との貼着を解除し、摩耗・破損した交換シート１を新しい交換シート１に交換すれば、防護シート１０を繰り返し使用することが可能であり、コスト削減に貢献する。
【００２５】
なお、本考案にかかる交換シートや防護シート等の構成は、上記した実施の形態に何ら限定されるものではなく、本考案の趣旨を逸脱しない範囲で、大きさや厚み、形状等を適宜変更することができる。
【００２６】
例えば、面ファスナー４，４・・と面ファスナー１２との貼着位置は、必ずしもシート本体２の四隅で行う必要はなく、貼着位置を変更したり、面ファスナーの数を増減しても良く、また、面ファスナー１２と同様に、シート本体２の外周全体に亘って取り付けても良い。交換シート１と防護シート１０との貼着が確実に行われるものであれば適宜変更可能である。
【００２７】
他にも、交換シート１の貼着は、防護シート１０の片面だけである必要はなく、電柱５０に装着可能なものであれば両面であっても良い。
【００２８】
また、交換シート１でなく、交換袋２０も使用できる。すなわち、図６に示すように、交換袋２０は、防護シート１０を収容可能な大きさを有して絶縁材料で形成される平袋状の袋本体２１に袋部２２を形成し、その袋部２２内に防護シート１０を収納可能とすると共に、袋部２２の開口部２３に面ファスナー２４，２４・・を取り付けて閉塞可能として、袋本体２１の片面に、面ファスナー１２と同じ構造の面ファスナー２５を備えたものである。
よって、交換袋２０が摩耗や破損した場合には、開口部２３の面ファスナー２４，２４・・による貼着を解除して袋部２２に収納した防護シート１０を取り出し、新しい交換袋２０の袋部２２に防護シート１０を収納して各面ファスナー２４，２４・・を貼着すれば、防護シート１０を繰り返し使用することが可能である。そして、図４（ａ）（ｂ）に示す防護シート１０の場合と同様に、交換袋２０の面ファスナー２５，２５同士の貼着により、電柱５０に装着することで既設の電柱や電線に接触した際の帯電や損傷を防止することが可能となる。
【００２９】
なお、防護シートは、電柱のシールド用に限らず、高低圧電気回路での活線作業、活線近接作業時に充電部や分岐線部の防護用として使用するものであっても、本考案の交換シートや交換袋の使用は可能である。
【符号の説明】
【００３０】
１・・交換シート、２・・シート本体、３・・面ファスナー（交換側仮止め手段）、４・・面ファスナー（結合手段）、１０・・防護シート、１１・・シート本体、１２・・面ファスナー（防護側仮止め手段）、１３・・シールド材、１４・・シート本体、２０・・交換袋、２１・・袋本体、２２・・袋部、２３・・開口部、２４・・面ファスナー、２５・・面ファスナー（防護側仮止め手段）、５０・・電柱。
【図１】
0003198426.tif 000003
【図２】
0003198426.tif 000004
【図３】
0003198426.tif 000005
【図４】
0003198426.tif 000006
【図５】
0003198426.tif 000007
【図６】
0003198426.tif 000008